【手続補正書】
【提出日】平成27年4月14日(2015.4.14)
【手続補正１】
【補正対象書類名】特許請求の範囲
【補正対象項目名】全文
【補正方法】変更
【補正の内容】
【特許請求の範囲】
【請求項１】
遊技領域に設けられた始動領域を遊技媒体が通過した後に開始条件が成立したことにもとづいて識別情報の変動表示を行い、変動表示の表示結果としてあらかじめ定められた特定表示結果が導出表示されたときに遊技者にとって有利な特定遊技状態に制御する遊技機であって、
前記始動領域を遊技媒体が通過したときに、前記特定表示結果とするか否かを決定するための数値データを抽出する数値データ抽出手段と、
前記始動領域を遊技媒体が通過したにもかかわらず未だ前記開始条件が成立していない変動表示について、所定の上限数を限度に、前記数値データを記憶可能な保留記憶手段と、
前記開始条件が成立したことにもとづいて、前記数値データを用いて、前記特定表示結果とするか否かを表示結果が導出表示されるまでに決定する事前決定手段と、
前記事前決定手段による決定前に、前記数値データにもとづいて、前記特定表示結果となるか否かを判定する判定手段と、
前記事前決定手段の決定結果にもとづいて、前記特定表示結果となる可能性を少なくとも第１演出から第２演出に発展することにより示唆する変動中予告演出を実行可能な変動中予告演出実行手段と、
前記判定手段の判定結果にもとづいて、前記特定表示結果となる可能性を示唆する先読予告演出を実行可能な先読予告演出実行手段と、
を備え、
前記先読予告演出実行手段は、前記判定手段により前記特定表示結果となると判定された場合は、判定されない場合に比べて高い割合で第１先読予告を第２先読予告に変化させる先読予告変化演出を実行可能な先読予告変化手段を含み、
前記先読予告変化手段は、前記変動中予告演出において前記第１演出から前記第２演出への発展に応じて、前記第１先読予告を前記第２先読予告に変化可能であり、
前記変動中予告演出実行手段は、前記第１先読予告が表示されているときには、前記第１先読予告以外が表示されているときよりも高い割合で前記変動中予告演出を実行する
ことを特徴とする遊技機。
【手続補正２】
【補正対象書類名】明細書
【補正対象項目名】０００１
【補正方法】変更
【補正の内容】
【０００１】
本発明は、遊技領域に設けられた始動領域を遊技媒体が通過した後に開始条件が成立したことにもとづいて識別情報の変動表示を行い、変動表示の表示結果としてあらかじめ定められた特定表示結果が導出表示されたときに遊技者にとって有利な特定遊技状態に制御する遊技機に関する。
【手続補正３】
【補正対象書類名】明細書
【補正対象項目名】０００８
【補正方法】変更
【補正の内容】
【０００８】
前記課題を解決するために、本発明の請求項１に記載の遊技機は、
遊技領域（例えば、遊技領域７）に設けられた始動領域（例えば、第１始動入賞口１３及び第２始動入賞口１４）を遊技媒体（例えば、遊技球）が通過した後に開始条件が成立したこと（例えば、変動表示中ではなく、且つ大当り遊技中や小当り遊技中でもないことにより変動表示が可能な状態となったこと）にもとづいて識別情報（例えば、特別図柄及び演出図柄）の変動表示を行い、変動表示の表示結果としてあらかじめ定められた特定表示結果（例えば、大当り図柄）が導出表示されたときに遊技者にとって有利な特定遊技状態（例えば、大当り遊技状態）に制御する遊技機（例えば、パチンコ遊技機１）であって、
前記始動領域を遊技媒体が通過したとき（例えば、ＣＰＵ５６が特別図柄プロセス処理のＳ３１１において第１始動口スイッチまたは第２始動口スイッチがオンとなったと判定したとき）に、前記特定表示結果とするか否かを決定するための数値データを抽出する数値データ抽出手段（例えば、ＣＰＵ５６が始動口スイッチ通過処理においてＳ１２１５またはＳ１２２６を実行する部分）と、
前記始動領域を遊技媒体が通過したにもかかわらず未だ前記開始条件が成立していない変動表示について、所定の上限数（例えば、８個）を限度に、前記数値データを記憶可能な保留記憶手段（例えば、保留記憶特定情報記憶領域、第１保留記憶バッファ、第２保留記憶バッファ及び入賞時判定結果記憶バッファ）と、
前記開始条件が成立したことにもとづいて、前記数値データを用いて、前記特定表示結果とするか否かを表示結果が導出表示されるまでに決定する事前決定手段（例えば、ＣＰＵ５６が特別図柄プロセス処理において特別図柄通常処理を実行する部分）と、
前記事前決定手段による決定前に、前記数値データにもとづいて、前記特定表示結果となるか否かを判定する判定手段（例えば、ＣＰＵ５６が入賞時乱数値判定処理を実行する部分）と、
前記事前決定手段の決定結果にもとづいて、前記特定表示結果となる可能性を少なくとも第１演出（例えば、示唆演出として演出表示装置９にキャラクタＡが表示される演出）から第２演出（例えば、示唆演出として演出表示装置９キャラクタＢが表示される演出）に発展することにより示唆する変動中予告演出（例えば、示唆演出）を実行可能な変動中予告演出実行手段（例えば、演出制御用ＣＰＵ１０１が演出制御プロセス処理において演出図柄変動中処理を実行する部分）と、
前記判定手段の判定結果にもとづいて、前記特定表示結果となる可能性を示唆する先読予告演出を実行可能な先読予告演出実行手段（例えば、演出制御用ＣＰＵ１０１がＳ１８４８ａを実行して保留表示を第１特別態様や第２特別態様に変化させる部分や、Ｓ１８４８ｈにて設定に応じたセリフ表示演出を実行する部分）と、
を備え、
前記先読予告演出実行手段は、前記判定手段により前記特定表示結果となると判定された場合は、判定されない場合に比べて高い割合で第１先読予告を第２先読予告に変化させる先読予告変化演出を実行可能な先読予告変化手段（例えば、演出制御用ＣＰＵ１０１が、先読み演出決定処理のＳ６７１０５ｃにおいて、入賞時判定結果がはずれの場合は保留表示の「非変化」を９０％の割合で決定するとともに保留表示の「変化」を１０％の割合で決定する一方、入賞時判定結果が当りの場合は保留表示の「変化」を９０％の割合で決定するとともに保留表示の「非変化」を１０％の割合で決定し、保留表示の「非変化」が決定されたときには、先読み演出決定処理のＳ６７１０５ｆにおいて、入賞時判定結果がはずれの場合と当りの場合について、図３０（Ｄ）に示す割合にて通常態様と特殊態様とを決定するとともに、保留表示の「変化」が決定されたときには、Ｓ６７１０６において、入賞時判定結果がはずれの場合と当りの場合について、図３０（Ｅ）に示す割合にて第１特別態様と第２特別態様とを決定することにより、第１特別態様の大当り期待度Ｙや第２特別態様の大当り期待度Ｚが、通常態様の保留表示の場合の大当り期待度や特殊態様の保留表示の場合の大当り期待度Ｗよりも高くなるように設定され、該設定にもとづいて、第１特別態様や第２特別態様や特殊態様に保留表示を変化する部分）を含み、
前記先読予告変化手段は、前記変動中予告演出において前記第１演出から前記第２演出への発展に応じて、前記第１先読予告を前記第２先読予告に変化可能（例えば、演出制御用ＣＰＵ１０１が演出図柄変動中処理においてＳ１８４８ｃまたはＳ１８４８ｆを実行する部分）であり、
前記変動中予告演出実行手段は、前記第１先読予告が表示されているときには（例えば、先読み演出制限フラグがセットされているとき）、前記第１先読予告以外が表示されているとき（例えば、先読み演出制限フラグがセットされていないとき）よりも高い割合で前記変動中予告演出を実行する（例えば、演出制御用ＣＰＵ１０１は、演出図柄変動開始処理のＳ１８０６において、先読み演出制限フラグがセットされている場合、つまり、合算保留記憶表示部１８ｃにおいていずれかの保留表示が特殊態様で表示されている場合には１００％の割合で示唆演出を実行することを決定する一方、先読み演出制限フラグがセットされていない場合、つまり、合算保留記憶表示部１８ｃにおいていずれの保留表示も特殊態様で表示されていない場合には、４０％の割合で示唆演出を実行することを決定する部分）
ことを特徴としている。
この特徴によれば、変動中予告演出において第１演出から第２演出に発展するタイミングと連携して先読予告変化演出が実行されるため、変動中予告演出が開始されることにより先読予告変化演出が実行される期待感を効果的に高めることができるので、遊技の興趣を向上できる。
【手続補正４】
【補正対象書類名】明細書
【補正対象項目名】０００９
【補正方法】変更
【補正の内容】
【０００９】
本発明の手段１の遊技機は、請求項１に記載の遊技機であって、
前記第１演出と前記第２演出との間において切替時演出（例えば、シャッター２００により演出表示装置９を遊技者から視認不能とする演出や、変形例におけるシャッター画像を表示する部分）を実行可能な切替時演出実行手段（例えば、演出制御用ＣＰＵ１０１が演出図柄変動中処理においてＳ１８４７ｂ及びＳ１８４７ｄを実行する部分）をさらに備え、
前記先読予告変化手段は、前記切替時演出実行手段による前記切替時演出中のタイミングにて、前記第１先読予告を前記第２先読予告に変化可能である（例えば、演出制御用ＣＰＵ１０１が演出図柄変動中処理において、Ｓ１８４８ｂにて第１演出表示装置視認不能期間における保留表示変化タイミングであると判定した場合にＳ１８４８ｃを実行して、保留表示を第１特別態様または第２特別態様に変化させる部分と、Ｓ１８４８ｅにて第２演出表示装置視認不能期間における保留表示変化タイミングであると判定した場合にＳ１８４８ｆを実行して、演出対象の保留表示を第１特別態様または第２特別態様に変化させる部分）
ことを特徴としている。
この特徴によれば、変動中予告演出と連携しつつも、変動中予告演出における第１演出や第２演出の終了開始のタイミングと先読予告の変化タイミングとを異ならせることができ、変動中予告演出と先読予告変化演出のいずれの予告が実行されたのかを遊技者が把握し易くなる。
【手続補正５】
【補正対象書類名】明細書
【補正対象項目名】００１０
【補正方法】変更
【補正の内容】
【００１０】
本発明の手段２の遊技機は、手段１に記載の遊技機であって、
前記切替時演出は、前記第１先読予告を遊技者が視認不能とする演出（例えば、シャッター２００を閉鎖位置に移動させることにより演出表示装置９を遊技者から視認不能とする演出や、変形例におけるシャッター画像を表示する部分）を少なくとも含む
ことを特徴としている。
この特徴によれば、第１先読予告から第２先読予告に変化するタイミングにおいて、第１先読予告が視認不能となるので、第１先読予告から第２先読予告への変化による効果をより一層高めることができる。
【手続補正６】
【補正対象書類名】明細書
【補正対象項目名】００１１
【補正方法】変更
【補正の内容】
【００１１】
本発明の手段３の遊技機は、請求項１、手段１、手段２のいずれかに記載の遊技機であって、
前記変動中予告演出実行手段は、
第１種類（例えば、第１演出態様の示唆演出）と前記第１種類よりも前記事前決定手段により前記特定表示結果とすると決定される割合が高い第２種類（例えば、第２演出態様の示唆演出）の変動中予告演出を実行可能であって、
前記第１先読予告が表示されているときに前記第２種類の変動中予告演出を実行する割合が、前記第１先読予告以外が表示されているときに前記第２種類の変動中予告演出を実行する割合よりも高い（例えば、演出制御用ＣＰＵ１０１が、演出図柄変動開始処理のＳ１８０６において、先読み演出制限フラグがセットされている場合、つまり、合算保留記憶表示部１８ｃにおいていずれかの保留表示が特殊態様で表示されている場合には、４０％の割合で示唆演出を第２演出態様で実行することを決定する一方、演出図柄変動開始処理のＳ１８０６において、先読み演出制限フラグがセットされていない場合、つまり、合算保留記憶表示部１８ｃにおいていずれの保留表示も特殊態様で表示されていない場合には、１０％の割合で示唆演出を第２演出態様で実行することを決定する部分）
ことを特徴としている。
この特徴によれば、第１先読予告が表示されているときには、第２種類の変動中予告演出が実行され易くなるので、第１先読予告が変化することへの期待感を効果的に高めることができ、遊技の興趣をさらに高めることができる。
【手続補正７】
【補正対象書類名】明細書
【補正対象項目名】００１２
【補正方法】変更
【補正の内容】
【００１２】
本発明の手段４の遊技機は、請求項１または手段１〜手段３のいずれかに記載の遊技機であって、
前記変動表示の期間を短縮する短縮制御（例えば、時短制御）を行う短縮制御手段（例えば、ＣＰＵ５６が大当り終了処理のＳ１７１にて時短フラグをセットする部分）をさらに備え、
前記先読予告変化手段が前記先読予告変化演出を実行する割合は、前記短縮制御手段により前記短縮制御が実行されていないときよりも前記短縮制御が実行されているときの方が小さい（例えば、演出制御用ＣＰＵ１０１が先読み演出決定処理のＳ６７１０４ａにて時短状態でないと判定した場合は、Ｓ６７１０４ｂにて先読み演出種別を、保留表示演出とセリフ表示演出とから決定する一方、演出制御用ＣＰＵ１０１が先読み演出決定処理のＳ６７１０４ａにて時短状態であると判定した場合は、Ｓ６７１０４ｃにて先読み演出種別を保留表示演出に決定することがない部分）
ことを特徴としている。
この特徴によれば、短縮制御が実行されていて変動期間が短いにもかかわらずに、先読予告変化演出の実行に伴って無理に変動中予告演出が実行されてしまうことにより、遊技者に違和感を与えてしまうことを防ぐことができる。
【手続補正８】
【補正対象書類名】明細書
【補正対象項目名】００１３
【補正方法】変更
【補正の内容】
【００１３】
本発明の手段５に記載の遊技機は、手段４に記載の遊技機であって、
前記先読予告演出実行手段は、
前記第１先読予告から前記第２先読予告に変化する前記先読予告変化演出とは異なり、前記第１先読予告から前記第２先読予告に変化しない非変化先読予告演出（例えば、保留表示を変化させる保留表示演出とは排他的に実行され、保留表示が変更されずにセリフが表示されるセリフ表示演出や、変形例における連続演出等の先読演出の対象となった保留記憶の変動表示前において実行される各種演出）を実行可能であって、
前記先読予告演出実行手段が前記非変化先読予告演出を実行する割合は、前記短縮制御手段により前記短縮制御が実行されていないときよりも前記短縮制御が実行されているときの方が大きい（例えば、演出制御用ＣＰＵ１０１が先読み演出決定処理のＳ６７１０４ａにて時短状態でないと判定した場合は、Ｓ６７１０４ｂにて先読み演出種別を保留表示演出とセリフ表示演出とから決定する一方、演出制御用ＣＰＵ１０１が先読み演出決定処理のＳ６７１０４ａにて時短状態であると判定した場合は、Ｓ６７１０４ｃにて先読み演出種別をセリフ表示演出のみから決定する部分）
ことを特徴としている。
この特徴によれば、先読予告演出全体の実行割合が時短制御中において低下してしまうことを防ぐことができる。
【手続補正９】
【補正対象書類名】明細書
【補正対象項目名】００１４
【補正方法】変更
【補正の内容】
【００１４】
本発明の手段６に記載の遊技機は、請求項１または手段１〜手段５のいずれかに記載の遊技機であって、
前記第２先読予告に変化するか否かを示唆する示唆演出を実行する示唆演出実行手段（例えば、演出制御用ＣＰＵ１０１が演出図柄変動開始処理においてＳ１８０６〜Ｓ１８０７の実行後にＳ１８１２〜Ｓ１８１５を実行後、更に演出図柄変動中処理を実行する部分と、演出図柄変動開始処理においてＳ１８１１の実行後にＳ１８１２〜Ｓ１８１５を実行後、更に演出図柄変動中処理を実行する部分）をさらに備え、
前記先読予告変化手段は、複数のタイミングで前記第２先読予告に変化させることが可能であり（例えば、第１演出態様での示唆演出の実行が決定されている場合は、演出制御用ＣＰＵ１０１がＳ１８４８ｃを実行することで第１演出表示装置視認不能期間に演出対象の保留表示を第１特別態様または第２特別態様に変化させ、第２演出態様での示唆演出の実行が決定されている場合は、演出制御用ＣＰＵ１０１がＳ１８４８ｆを実行することで第２演出表示装置視認不能期間に演出対象の保留表示を第１特別態様または第２特別態様に変化させる）、
前記示唆演出実行手段は、前記第１先読予告が表示されているときには（例えば、先読み演出制限フラグがセットされているとき）、前記第１先読予告が表示されていないとき（例えば、先読み演出制限フラグがセットされていないとき）に比べて高い頻度で前記示唆演出を実行する（例えば、演出制御用ＣＰＵ１０１は、演出図柄変動開始処理のＳ１８０６において、先読み演出制限フラグがセットされている場合、つまり、合算保留記憶表示部１８ｃにおいていずれかの保留表示が特殊態様で表示されている場合には１００％の割合で示唆演出を実行することを決定する一方、先読み演出制限フラグがセットされていない場合、つまり、合算保留記憶表示部１８ｃにおいていずれの保留表示も特殊態様で表示されていない場合には、４０％の割合で示唆演出を実行することを決定する部分）
ことを特徴としている。
この特徴によれば、複数のタイミングで第２先読予告に変化させることが可能であるため、第２先読予告への変化タイミングに多様性を持たせることができるとともに、第１先読予告が表示されたときには、高い頻度で示唆演出が実行されるため、期待感を高めることでき、遊技興趣を向上させることができる。
【手続補正１０】
【補正対象書類名】明細書
【補正対象項目名】００４３
【補正方法】変更
【補正の内容】
【００４３】
遊技盤６の遊技領域７の左右周辺には、遊技中に点滅表示される装飾ＬＥＤ２５が設けられ、下部には、入賞しなかった打球が取り込まれるアウト口２６がある。また、遊技領域７の外側の左右上部には、所定の音声出力として効果音や音声を発声する２つのスピーカ２７Ｒ，２７Ｌが設けられている。遊技領域７の外周上部、外周左部および外周右部には、前面枠に設けられた天枠ＬＥＤ２８ａ、左枠ＬＥＤ２８ｂおよび右枠ＬＥＤ２８ｃが設けられている。また、左枠ＬＥＤ２８ｂの近傍には賞球残数があるときに点灯する賞球ＬＥＤ５１が設けられ、右枠ＬＥＤ２８ｃの近傍には補給球が切れたときに点灯する球切れＬＥＤ５２が設けられている。天枠ＬＥＤ２８ａ、左枠ＬＥＤ２８ｂおよび右枠ＬＥＤ２８ｃおよび装飾ＬＥＤ２５は、パチンコ遊技機１に設けられている演出用の発光体の一例である。なお、上述した演出用（装飾用）の各種ＬＥＤの他にも演出のためのＬＥＤやランプが設置されている。
【手続補正１１】
【補正対象書類名】明細書
【補正対象項目名】０１４７
【補正方法】変更
【補正の内容】
【０１４７】
図１３は、主基板３１に搭載される遊技制御用マイクロコンピュータ５６０（具体的には、ＣＰＵ５６）が実行する特別図柄プロセス処理（Ｓ２６）のプログラムの一例を示すフローチャートである。上述したように、特別図柄プロセス処理では第１特別図柄表示器８ａまたは第２特別図柄表示器８ｂおよび大入賞口を制御するための処理が実行される。特別図柄プロセス処理において、ＣＰＵ５６は、第１始動入賞口１３に遊技球が入賞したことを検出するための第１始動口スイッチ１３ａがオンしていたら、または第２始動入賞口１４に遊技球が入賞したことを検出するための第２始動口スイッチ１４ａがオンしていたら、すなわち、第１始動入賞口１３または第２始動入賞口１４への始動入賞が発生していたら、始動口スイッチ通過処理を実行する（Ｓ３１１，Ｓ３１２）。そして、Ｓ３００〜Ｓ３１０のうちのいずれかの処理を行う。第１始動口スイッチ１３ａまたは第２始動口スイッチ１４ａがオンしていなければ、内部状態に応じて、Ｓ３００〜Ｓ３１０のうちのいずれかの処理を行う。
【手続補正１２】
【補正対象書類名】明細書
【補正対象項目名】０２０２
【補正方法】変更
【補正の内容】
【０２０２】
Ｓ７１では、ＣＰＵ５６は、大当りであることを示す大当りフラグをセットする。そして、大当り種別を複数種類のうちのいずれかに決定するために使用するテーブルとして、特別図柄ポインタが示す方の大当り種別判定テーブルを選択する（Ｓ７２）。具体的には、ＣＰＵ５６は、特別図柄ポインタが「第１」を示している場合には、図８（Ｄ）に示す第１特別図柄用の大当り種別判定テーブル１３１ａを選択する。また、ＣＰＵ５６は、特別図柄ポインタが「第２」を示している場合には、図８（Ｅ）に示す第２特別図柄用の大当り種別判定テーブル１３１ｂを選択する。
【手続補正１３】
【補正対象書類名】明細書
【補正対象項目名】０３２７
【補正方法】変更
【補正の内容】
【０３２７】
なお、第２特別図柄の変動表示を優先して実行するように構成されている場合には、高ベース中には、第１特別図柄の変動表示を対象として先読み演出を行わないように構成してもよい。また、第２特別図柄の変動表示を優先して実行するように構成されている場合には、大当り遊技中の第１始動入賞口１３への入賞にもとづく先読み演出を行わないように構成してもよい。このような構成は、例えば、高ベース中や大当り遊技中には、遊技制御用マイクロコンピュータ５６０において、第１始動入賞口１３への入賞が発生しても、Ｓ１２１７の入賞時演出処理を実行しないようにしたり、演出制御用マイクロコンピュータ１００において受信した入賞時判定結果指定コマンドを破棄したり、先読み演出を実行することに決定されても、実行しないように制御することで実現することができる。また、第２特別図柄の変動表示を優先して実行する構成に上記（３）の構成を加える場合に、高ベース中または大当り遊技中には、第１始動入賞口１３への入賞にもとづく先読み演出を行わないが、第２始動入賞口１４への入賞にもとづく先読み演出は行うようにしてもよい。このような構成は、例えば、高ベース中や大当り遊技中には、遊技制御用マイクロコンピュータ５６０において、第１始動入賞口１３への入賞が発生しても、Ｓ１２１７の入賞時演出処理を実行しないようにしたり、演出制御用マイクロコンピュータ１００において受信した第１始動入賞口１３への入賞にもとづく入賞時判定結果指定コマンドを破棄したり、先読み演出を実行することに決定されても、実行しないように制御することで実現することができる。
【手続補正１４】
【補正対象書類名】明細書
【補正対象項目名】０３８０
【補正方法】変更
【補正の内容】
【０３８０】
Ｓ１８４８ｄにおいて、演出制御用ＣＰＵ１０１は、選択されているプロセステーブルに基づいて第２演出態様にて示唆演出実行中であるか否かを確認する（Ｓ１８４８ｄ）。第２演出態様にて示唆演出実行中である場合は（Ｓ１８４８ｄのＹ）、更に、選択されているプロセステーブルに基づいて第２演出表示装置視認不能期間における保留表示変化タイミングであるか否かを確認する（Ｓ１８４８ｅ）。
【手続補正１５】
【補正対象書類名】明細書
【補正対象項目名】０４２９
【補正方法】変更
【補正の内容】
【０４２９】
また、前記実施例では、先読み予告演出として保留表示演出を実行し、該保留表示演出において、特殊態様で表示された保留表示を示唆演出における第１演出表示装置視認不能期間または第２演出表示装置視認不能期間において第１特別態様または第２特別態様に変化させたが、本発明はこれに限定されるものではなく、例えば、先読み予告演出として演出表示装置９に特定のキャラクタや数字、幾何学模様等を表示し、これら特定のキャラクタや数字、幾何学模様等が示唆演出における第１演出表示装置視認不能期間または第２演出表示装置視認不能期間において異なる態様に変化するようにしても良い。
【手続補正１６】
【補正対象書類名】図面
【補正対象項目名】図６
【補正方法】変更
【補正の内容】
【図６】
2015033436.tif 000001
【手続補正１７】
【補正対象書類名】図面
【補正対象項目名】図８
【補正方法】変更
【補正の内容】
【図８】
2015033436.tif 000002
【手続補正１８】
【補正対象書類名】図面
【補正対象項目名】図９
【補正方法】変更
【補正の内容】
【図９】
2015033436.tif 000003
【手続補正１９】
【補正対象書類名】図面
【補正対象項目名】図１６
【補正方法】変更
【補正の内容】
【図１６】
2015033436.tif 000004
【手続補正２０】
【補正対象書類名】図面
【補正対象項目名】図１８
【補正方法】変更
【補正の内容】
【図１８】
2015033436.tif 000005
【手続補正２１】
【補正対象書類名】図面
【補正対象項目名】図１９
【補正方法】変更
【補正の内容】
【図１９】
2015033436.tif 000006
【手続補正２２】
【補正対象書類名】図面
【補正対象項目名】図２０
【補正方法】変更
【補正の内容】
【図２０】
2015033436.tif 000007
【手続補正２３】
【補正対象書類名】図面
【補正対象項目名】図２２
【補正方法】変更
【補正の内容】
【図２２】
2015033436.tif 000008